(57)【要約】対のカム溝により係止力を増大する構造において、作動音をより小さくしたり安定作動を長期に維持できるようにする。【課題】ケース２に配置されて、ストライカー６２を抜け止めする係止位置及び係止解除する解除位置に摺動切り換えられるラッチ部材３と、ラッチ部材３を解除位置へ付勢するばね部材４と、ラッチ部材３に設けられた略ハート形のカム溝５と、トレース用ピン部材６とを備え、ラッチ部材３をばね部材４に抗した押し力によりカム溝５及びピン部材６を介してストライカー６２を係止位置で係止し、次の押し力により係止解除するラッチ装置において、カム溝５は、ラッチ部材３の両側面に同形状、かつ溝底面を略平面としてそれぞれ設けられている。ピン部材６は、略Ｕ形をなし、Ｕ形中間部６ａをケース２の他端側に支持し、Ｕ形両側部６ｂの各先端６ｃを対応するカム溝内に突出した状態で、全体が中間部６ａを支点として揺動可能に保持されている。【選択図】　　　　図１
2004137725.tif 000002
【特許請求の範囲】
【請求項１】
ストライカーを一端側開口から挿入可能なケースと、該ケース内に配置されて前記ストライカーを抜け止めする係止位置及び該ストライカーの抜けを許容する解除位置に摺動切り換えられるラッチ部材と、前記ラッチ部材を前記解除位置へ付勢移動するばね部材と、前記ラッチ部材に設けられた略ハート形のカム溝と、前記カム溝に沿ってトレースするピン部材とを備え、前記ラッチ部材を前記ばね部材に抗した押し力により前記カム溝及びピン部材を介して前記係止位置で係止し、次の押し力により係止解除するプッシュ・プッシュ係止機構からなるラッチ装置において、
前記カム溝は、前記ラッチ部材の両側面に同形状、かつ溝底面を略平面としてそれぞれ設けられており、
前記ピン部材は、略Ｕ形をなし、Ｕ形中間部を前記ケースの他端側に支持し、Ｕ形両側部の各先端を前記対応するカム溝内に突出した状態で、全体が前記中間部を支点として揺動可能に保持されていることを特徴とするラッチ装置。
【請求項２】
前記ケースは、前記ピン部材のＵ形中間部を所定圧で挟持する弾性挟持片を有していると共に、前記ピン部材のＵ形両側部を対応内側面との間に位置規制する規制用縦リブを有している請求項１に記載のラッチ装置。
【請求項３】
前記ピン部材は、Ｕ形両側部が前記ケースの対応内側面に圧接され、Ｕ形両側部の各先端が前記対応するカム溝に対し溝底面に非接触の状態で突出されている請求項１又は２に記載のラッチ装置。
【請求項４】
前記ラッチ部材は、前記カム溝及び該カム溝より上側に設けられた開口を有して前記解除位置及び係止位置に摺動切り換えられる摺動体と、前記摺動体に回動可能に枢支されて前記開口より突出して前記ストライカーを抜け止め可能にするラッチ爪とで構成されていると共に、前記解除位置で前記ケース内にほぼ収まっている請求項１から３の何れかに記載のラッチ装置。
【発明の詳細な説明】
【０００１】
【発明の属する技術分野】
本発明は、例えば、箱状基体に対し蓋等の可動体を着脱可能に係止するようなときに用いられて、最初の押し操作によりストライカーを係止し、次の押し操作によりストライカーを係止解除するプッシュ・プッシュ係止機構（これはプッシュロック・プッシュオープン機構と称されることもある、以下、同じ）からなるラッチ装置に関するものである。
【０００２】
【従来の技術】
図８及び図９は下記文献１，２に開示のラッチ装置である。各ラッチ装置７０，８０は、例えば、箱状基体６０に取り付けられて、可動体６１が開位置から閉位置に回動されたとき、可動体６１に設けられたストライカー６２を係止し、該係止を可動体６１の更なる押し操作により係止解除するプッシュ・プッシュ係止機構からなる。このうち、図８のラッチ装置７０は、プッシュ・プッシュ係止機構の基本例であり、ケース７１と、ラッチ部材７２と、ばね部材７５と、トレース用ピン部材７６と、板ばね７７とからなる。ラッチ部材７２は、ハート形カム溝７３及び弾性係止部７４を有し、ケース７１に対しばね部材７５の付勢力によりケース突出方向へ付勢移動されている。ピン部材７６は、基端がケース内底面に係止された状態で、先端がカム溝７３に突出されている。板ばね７７は、ケース７１に装着され、一端側が開口７１ａからピン部材７６を押圧して、カム溝７３に対するピン部材７６の圧接力を確保する。また、カム溝７３は、図８（ａ）において、下側から左上側へ延びる誘導溝７３ａと、誘導溝７３ａの上側に位置して左右に別れている係止用誘導溝７３ｂ及び解除用誘導溝７３ｄと、誘導溝７３ｂ，７３ｄの間にあって下側にある係止溝７３ｃと、誘導溝７３ｄから下側へ延びる復帰溝７３ｅとを有している。弾性係止部７４は先端に爪部７４ａを有している。そして、ラッチ部材７２は、ストライカー６２により押されると、弾性係止部７４がケース７１内に弾性変位しつつ引き込まれ、爪部７４ａがストライカー６２の先端爪部６２ａを抜け止めし、ピン部材７６の先端が係止溝７３ｃに係止される。該係止は、ラッチ部材７２がストライカー６２により再び押されると、ピン部材７６の先端が誘導溝７３ｄから復帰溝７３ｅに入って解除される。
【０００３】
図９のラッチ装置８０は、ケース８１と、ラッチ部材８２と、ばね部材８５と、トレース用ピン部材８６とを備えている。ラッチ部材８２は、下両側（紙面前後）にハート形カム溝８３Ａ，８３Ｂを有し、上側に対の弾性係止部８４を有しており、ケース８１に対しばね部材８５の付勢力によりケース突出方向へ付勢移動されている。両カム溝８３Ａ，８３Ｂは、全体が上記カム溝７３と類似する略ハート形であるが、異形状に形成されている。ピン部材８６は、略Ｕ形をなし、Ｕ形の中間部８６ａがケース８１の内底面に固定支持され、Ｕ形両側部の各上端を内側に折り曲げた先端８６ｂが対応するカム溝８３Ａ，８３Ｂ内に突出している。そして、ラッチ装置８０は、上記装置７０に対し、対のカム溝８３Ａ，８３Ｂを設けることにより係止力を増大した構成であり、又、ピン部材８６の各先端８６ｂがカム溝８３Ａ，８３Ｂの溝底面と非接触状態を維持した状態で、溝側面に当接しかつ異形状のカム溝８３Ａ，８３Ｂに沿ってトレースすることにより、ピン部材８６が捩り力を付与されたり該捩り力を解消することでカム溝の一方向へ移動されることを特徴としている。
【０００４】
【特許文献１】
実開昭６１−１６３８７０号公報（第１頁、図１〜図８）
【特許文献２】
特許第３１２６９９２号公報（第１頁〜第４頁、図１〜図１２）
【０００５】
【発明が解決しようとする課題】
上記した図９のラッチ装置８０は、図８の装置７０に対し、対のカム溝８３Ａ，８３Ｂにより係止力を増大している点、ピン部材８６の各先端８６ｂがカム溝８３Ａ，８３Ｂの溝底面と非接触状態を維持しているため各部の摩耗進行を抑えたり作動切換時の作動音を小さくできる点などで優れているが、次の観点から未だ充分満足できない。即ち、この装置構造では、ピン部材８６が中間部８６ａをケース内底面に固定した状態で、先端８６ｂから受ける応力を捩り力として蓄えたり解消するため、作動切換時の作動音を完全に解消できなかったり、ピン先端側が強制変形する虞を有していた。また、両側の先端８６ｂを異形状のカム溝８３Ａ，８３Ｂに突出するため、ピン先端８６ｂの突出寸法誤差などによりピン部材８６の捩り力の値も変化し易くなって作動の安定性に欠けていた。
【０００６】
本発明は、以上のような課題を解消するたもので、その目的は対のカム溝により係止力を増大する構造において、作動音をより小さくしたり、ピン部材の負荷を少なくして安定作動を長期に維持できるようにすることにある。他の目的は、従来構造に比べて成形性や外観特性などを改善可能にすることにある。
【０００７】
【課題を解決するための手段】
上記目的を達成するため本発明は、図１〜図７の例で特定すると、ストライカー６２を一端側開口から挿入可能なケース２と、該ケース内に配置されて前記ストライカーを抜け止めする係止位置及び該ストライカーの抜けを許容する解除位置に摺動切り換えられるラッチ部材３と、前記ラッチ部材を前記解除位置へ付勢移動するばね部材４と、前記ラッチ部材３に設けられた略ハート形のカム溝５と、前記カム溝に沿ってトレースするピン部材６とを備え、前記ラッチ部材３を前記ばね部材４に抗した押し力により前記カム溝５及びピン部材６を介して前記係止位置で係止し、次の押し力により係止解除するプッシュ・プッシュ係止機構からなるラッチ装置において、前記カム溝５は、前記ラッチ部材３の両側面に同形状、かつ溝底面を略平面としてそれぞれ設けられており、前記ピン部材６は、略Ｕ形をなし、Ｕ形中間部６ａを前記ケース２の他端２３側に支持し、Ｕ形両側部６ｂの各先端６ｃを前記対応するカム溝内に突出した状態で、全体が前記中間部６ａを支点として揺動可能に保持されていることを特徴としている。
【０００８】
以上のラッチ装置１において、基本作動は、図９の場合と同じであり、ストライカ６２がラッチ部材３をばね部材４の付勢力に抗して係止位置方向へ押し下げると、図１から図２の状態つまりピン部材６の両先端６ｃが対応するカム溝５に沿って移動してカム溝５の係止溝にそれぞれ係止される。該係止状態は、ストライカー６２を再び押し、該押し力を解放すると、図２から図１の状態つまりピン部材６の先端６ｃが上記した係止溝から離脱して初期溝位置まで戻り、ラッチ部材３がばね部材４により解除位置まで付勢移動される。改良点は、特に、両側のカム溝５が同形に形成されていることと、ピン部材６がケース２の他端側に中間部６ａを介し揺動可能に起立保持（全体が所定の負荷により中間部６ａを支点として揺動されること）されて作動切換過程で従来の様なピン先端側の捩り力を利用していないことにある。このため、この構造では、ピン部材６が長期使用により強制変形して作動不良を起こすという虞を解消でき、作動音が従来よりも数段小さくなって高級感を付与できる。なお、ラッチ部材３及びピン部材６の成形又は加工では、両側のカム溝５が同形つまり左右対称形となっているため、加工精度を確保しやすく、部材間の相対的な寸法誤差に起因する作動不良や歩留まり低下要因も改善できる。
【０００９】
以上の発明は、請求項２〜４のごとく具体化されることがより好ましい。即ち、
（請求項２）前記ケース２は、前記ピン部材６のＵ形中間部６ａを所定圧で挟持する弾性挟持片２３ａ，２３ｂ等を有していると共に、前記ピン部材６のＵ形両側部６ｂを対応内側面との間に位置規制する規制用縦リブ２９を有している構成である。これは、例えば、弾性挟持片２３ａ，２３ｂがピン部材６を揺動可能かつ起立保持可能にし、規制用縦リブ２９がピン部材６のＵ形両側部６ｂの動きを規制して先端６ｃとカム溝５との位置関係を安定に保つようにする。
（請求項３）前記ピン部材６は、Ｕ形両側部６ｂが前記ケース２の対応内側面に圧接され、Ｕ形両側部の各先端６ｃが前記対応するカム溝５に対し溝底面に非接触の状態で突出されている構成である。前者は、ピン部材６がＵ形両側部６ｂの圧接力により外部振動等で不用意に揺動する虞、更にピン部材の誤作動を防ぐ。後者は、各先端６ｃがカム溝５の溝底面に非接触状態にすることにより各部の摩耗を抑えたり作動切換時の作動音を確実に解消できるようにする。
（請求項４）前記ラッチ部材３は、前記カム溝５及び該カム溝より上側に設けられた開口３３を有して前記解除位置及び係止位置に摺動切り換えられる摺動体３０と、前記摺動体に回動可能に枢支されて前記開口３３より突出して前記ストライカー６２を抜け止め可能にするラッチ爪３７とで構成されていると共に、前記解除位置で前記ケース２内にほぼ収まっている構成である。これは、ラッチ部材３の解除位置でケース２より突出する部分を極力なくして外観特性を良好に保つ。
【００１０】
【発明の実施の形態】
本発明の実施の形態を図面に基づいて説明する。図１〜図７は本発明を適用したラッチ装置を示している。図１と図２は装置作動を示し、各（ａ）は図３のＢ−Ｂ線にほぼ沿って、各（ｂ）は図３のＣ−Ｃ線にほぼ沿って断面した図である。図３は装置構造を示し、同（ａ）は上面図、同（ｂ）は正面図、同（ｃ）は（ａ）のケースだけをＡ−Ａ線に沿って断面した図、同（ｄ）は下面図である。図４は装置を分解して示す概略構成図である。図５はケース及びばね部材を示し、同（ａ）と（ｂ）はケースの上面及び下面図、同（ｃ）と（ｄ）はケースの一部を破断した正面及び側面図、同（ｅ）は（ａ）のＤ−Ｄ線断面図、同（ｆ）はばね部材の正面図である。図６はラッチ部材の摺動体を示し、同（ａ）と（ｂ）は上面図及び一部破断した下面図、同（ｃ）と（ｄ）は正面及び背面図、同（ｅ）と（ｆ）は左側面図及び一部破断した右側面図である。図７はラッチ部材のラッチ爪を示し、同（ａ）と（ｂ）は上面及び下面図、同（ｃ）は正面図、同（ｄ）は側面図、同（ｅ）は（ｃ）のＥ−Ｅ線断面図である。以下の説明では、ラッチ装置の概要、装置構造、組立、作動の順に詳述する。
【００１１】
（概要）形態例のラッチ装置１は、ケース２とラッチ部材３とばね部材４とから構成され、又、ラッチ部材３が摺動体３０及びラッチ爪３７からなる。ここで、材質は、ケース２と摺動体３０及びラッチ爪３７が樹脂の射出成形品であり、ばね部材４が金属又は合金製であるが、これ以外であっても差し支えない。また、用途は、上記文献１，２と同じであり、箱状基体に対し蓋等の可動体を着脱可能に係止するようなときに用いられる。通常は、ラッチ装置１が箱状基体側に取り付けられ、可動体側に設けられているストライカー６２を係脱する。但し、使い方としては、特許第３３１４９０３号公報のごとく、ラッチ装置１を可動体側に取り付けて、箱状基体側に設けられているストライカー６２を係脱する態様であってもよい。
【００１２】
（装置構造）形態例のラッチ装置１は、例えば、可動体が閉位置方向へ付勢されている態様において、可動体を付勢力に抗して閉位置方向へ押すとストライカー６２を介し係止し、更に同方向へ押して手を離すと係止解除されるプッシュ・プッシュ係止機構であり、そのうち、特にラッチ部材３又は摺動体３０がストライカー６２により直線状に摺動されるタイプである。構成部材は以下の通りである。
【００１３】
ケース２は、図４と図５のごとく内部が前後壁２０，２１と、両側壁２２と、底壁２３とで区画形成されて、一端側つまり上側を開口した筒形となっており、又、筒形上外面２５が一段張り出していて図１のごとく箱状基体などの取付部に設けられる凹部に挿着される。ここで、前壁２０には、左右中間に位置してラッチ部材３（摺動体３０）の摺動範囲を規制するガイド溝２０ａと、内面両側に突設されてラッチ部材３（ラッチ爪３９）を係止位置方向へ回動可能にする張出部２８とが設けられている。後壁２１の内面には、規制用縦リブ２９がピン部材６のＵ形に対応して対に突設されている。縦リブ２９は、底壁２３から上下中間位置付近まで延び、又、下側が一段大きく張り出した状態に設けられて、図１（ａ）のごとくピン部材６のＵ形両側部６ｂを両側壁２２の対応内側面との間に位置規制する。両側壁２２には、コ形スリット２２ａを介し区画されて上側を外へ張り出している取付用の弾性係止爪２７が設けられている。両側壁２２の内面には、上下方向に延びている逃げ凹部２２ｂ及びガイド凹部２２ｃがそれぞれ対向して設けられている。逃げ凹部２２ｂは、弾性係止爪２７や張出部２８を形成するための成形型用の逃げであり、この真下に張出部２８が突出している。ガイド凹部２２ｃは摺動体３０の突当部３２が摺動自在に嵌合する。
【００１４】
底壁２３には、前両側に貫通された型抜き穴２４ａと、後両側に貫通された略Ｌ形のピン挿通穴２４ｂと、両ピン挿通穴２４ｂの間に小スリット２４ｃを介し区画形成された弾性挟持片２３ａ，２３ｂと、各ピン挿通穴２４ｂと小スリット２４ｃの間に形成されているピン受け部２３ｃと、前内面に突出されたばね用支持軸２６などが設けられている。各ピン挿通穴２４ｂは、ピン部材６の線径よりも若干大きな穴幅からなり、略Ｕ形のピン部材６をこの穴からケース内へ挿入可能にする。弾性挟持片２３ａ，２３ｂは、小隙間を介し対向配置され、一方２３ａが短く、他方２３ｂが長く形成されており、ピン部材６のＵ形中間部６ａが図１（ａ）のごとく所定の挟持力で保持可能にする。ピン受け部２３ｃは、弾性挟持片２３ａ，２３ｂの間に挟持されるＵ形中間部６ａの両側を受け止める箇所である。支持軸２６は、左右中間に突設されて、先端がガイド溝２０ａから目視可能な高さ寸法となっている。そして、弾性挟持片２３ａ，２３ｂには、ピン部材６が枢支され、支持軸２６にはばね部材４が保持される。ばね部材４はコイルばねであり、下側が支持軸２６に軸装され、上側がラッチ部材３（摺動体３０）の対応部に配置される。ピン部材６は、図５（ｆ）のごとく、Ｕ形中間部６ａと、Ｕ形両側部６ｂと、各両側部６ｂの自由端側を内側に折り曲げた先端６ｃとからなり、又、Ｕ形の上幅寸法Ｌ１が下幅寸法Ｌ２よりも若干大きく形成されている。下幅寸法Ｌ２は、ケース内にあって、両側壁２２の内面間の幅寸法にほぼ一致している。
【００１５】
ラッチ部材３は、ケース内に摺動可能に配置されること、ケース内に押し込められたときストライカー６２を係止可能にすること、前記したピン部材６がトレースするハート形カム溝５を有していることが必須となる。この例では、ラッチ部材３が摺動体３０及びラッチ爪３７から構成されている。このうち、摺動体３０は、図４と図６のごとく本体３１の背面側に突当部３２を有している。本体３１は、上辺３１ａ及び両側辺３３ｂで概略コ形枠状に形成されている。上側には、上辺３１ａと両側辺３３ｂで区画された開口３３が設けられている。下側には、各側辺３３ｂに対し同軸線上に貫通され軸穴３３ａ及び凹部３３ｂが付設されている。また、各側辺３３の間には筒部３４が付設されている。筒部３４は、筒内３４ａが上記した支持軸２６及びばね部材４の上側を遊嵌可能な孔であり、又、上記したガイド溝２０ａと嵌合される突起３４ｂと、突起３４ｂの上側を切り欠いた欠如部３４ｃとを有している。突当部３２は、ストライカー６２が当接する水平壁部３２ａと、水平壁部３２ａの左右中間から下へ延びている縦壁部３２ｂとからなる。水平壁部３２ａは、両側が本体３１より少し外へ突出しており、上記したケース２のガイド凹部２２ｃに嵌合された状態で摺動される。縦壁部３２ｂは両側にハート形のカム溝５を有している。前記両側のカム溝５は、図６（ｄ）〜（ｆ）のごとく同じ高さ位置かつ同形であり、縦壁部３２ｂの略中央部に突設している凸状カム島３５と、縦壁部３２ｂの下両側に張り出している翼片部３６ａと、縦壁部３２ｂに設けられて翼片部３６ａとの間にカム溝５の溝入口側を形成している厚肉部３６ｂと、水平壁部３２ａに下設されている２つの小突部３６ｃ，３６ｄ等により区画形成されている。作動的には、図６（ｅ），（ｆ）において、下側から右上側へ延びる誘導溝５ａと、誘導溝５ａの上側に位置して左右に別れている係止用誘導溝５ｂ及び解除用誘導溝５ｄと、誘導溝５ｂ，５ｄの間の下側に位置した凹状係止溝５ｃと、誘導溝５ｄから下側へ延びる復帰溝５ｅなどからなり、又、各溝５ａ〜５ｅの溝底面が略平面となっている。
【００１６】
これに対し、ラッチ爪３７は、図４と図７のごとく、支持板３８及び爪部３９からなり、爪部３９を開口３３内に位置した状態で、全体が本体３１の上辺３１ａ及び両側辺３３ｂの間に配置される。支持板３８は、上部３８ａが爪部３９を突設し、下部３８ｂが中間部を欠如している。上部３８ａは、本体３１のコ形枠状内に配置されると、爪部３９が開口３３に入る。下部３８ｂは、上部３８ａから延びた２本の片状となっており、各下部３８ｂの外面にあって、上下中間に設けられた軸部３７ａと、下端に設けられた凸部３８ｃとを有している。両下部３８ｂの間には、前記した筒部３４内に入る突片部３７ｂが設けられている。
【００１７】
（組立）以上の各部材は次のような要領で組み付けられる。まず、摺動体３０がラッチ爪３７に取り付けられる。この作業では、図４の状態から軸部３７ａを凹部３３ｂから軸穴３３ａに押し込める。すると、ラッチ爪３７は、軸部３７ａを支点として、所定範囲だけ回動可能に枢支され、爪部３９が図１（ｂ）のごとく開口３３内に収まった解除状態と、図２（ｂ）のごとく開口３３内から突出されてストライカー６２の凸部又は爪部６２ａを上から押さえる係止状態とに回動切換可能となる。また、爪部３９の突片部３７ｂは、摺動体３０の筒部３４内に入り、一部が前記係止状態に切り換えられるときに欠如部３４ｃから逃げる。
【００１８】
次に、以上のラッチ爪３７付きの摺動体３０、つまりラッチ部材３はケース２内に組み付けられる。この作業では、予め、ばね部材４を支持軸２６に軸装し、ピン部材６を底壁２３に揺動可能に保持した状態にしてそれぞれケース２内に配置しておくことが好ましい。ピン部材６は、両側の先端６ｃを各ピン挿通穴２４ｂからケース内に挿入してから、Ｕ形中間部６ａを弾性挟持片２３ａ，２３ｂ側に強制的に移動することにより、両側のピン受け部２３ｃで受け止められた状態で、内側の弾性挟持片２３ｂと外側の弾性挟持片２３ａとの間に挟持される。この挟持状態では、ピン部材６がケース２内に起立保持され、両側部６ｂの上側が上記したＵ形の上幅寸法Ｌ１により両側内面に揺動可能に圧接され、又、Ｕ形両側部６ｂが規制用縦リブ２９と対応内側面との間に位置規制されている。そして、ラッチ部材３は、ケース２に対し、水平壁部３２ａの両側を対応するガイド凹部２２ｃに位置合わせした状態で押し込められると、突起３４ｂがガイド溝２０ａに落ち込んで嵌合されたときに、ケース２に対し抜け止めされて組み付けられる。なお、ラッチ部材３の押し込み過程では、ばね部材４の上側が筒部３４内に入り、ラッチ爪３７の突片部３７ｂに当接する。又、ピン部材６の両先端６ｃが対応するカム溝５の溝入口（復帰溝５ｅより下側へ延びる溝）に入る。
【００１９】
（作動）組立られたラッチ装置１は、上から見たときに、ラッチ爪３７の爪部３９が目視不能な状態、つまり解除状態となっている。そして、使用態様としては、例えば、可動体６１のストライカー６２に対応して箱状基体６０の適位置に弾性係止爪２７等を介し取り付けられる。取付状態において、ラッチ装置１は、図１のごとくラッチ部材３がばね部材４により付勢移動（この移動は突起３４ｂがガイド溝２０ａの上端面に当たることで規制される）され、又、爪部３９が開口３３内に入る方向へ回動（この回動は凸部３８ｃが張出部２８の最も高くなった箇所に乗り上げることで行われる）されている。この状態は「ラッチ部材３の解除位置」であり、ラッチ部材３がケース２内にほぼ収まっている。そして、ラッチ部材３は、ストライカー６２によりばね部材４の付勢力に抗して図１の矢印方向へ押されると、ラッチ爪３７が軸部３７ａを支点として回動され、ストライカー６２の爪部６２ａを抜け止めする。又、ラッチ部材６２は前記押し力を解放することにより、図２の係止位置で係止される。即ち、ピン部材６の各先端６ｃは、ラッチ部材６２の下移動により上記した誘導溝５ａから係止用誘導溝５ｂに入り、ラッチ部材６２に対する押圧力を解放したときに、係止溝６５ｃに係止される。この係止により、可動体６１は閉位置に保持される。図２から図１に切り換えるときは、ラッチ部材３をストライカー６２を介し再び押し、該押し力を解放する（押した手を離す）。すると、各先端６ｃは、上記した係止溝５ｃから解除用誘導溝５ｄ、復帰溝５ｅを経て再び誘導溝６５ａから溝入口に戻り、同時に、ラッチ部材３（摺動体３０とラッチ爪３７）が当初の解除位置に切り換えられる。なお、可動体６１は、ストライカー６２の爪部６２ａがラッチ爪３７から解放されると、不図示の付勢手段により自動的に開位置へ回動切り換えられる。
【００２０】
以上の作動切換過程において、ピン部材６は、溝底面と非接触状態でカム溝５の溝側壁から受ける応力により、Ｕ形中間部６ａを支点として揺動されながら、各先端６ｃが図１（ｂ）のカム溝５に図示した矢印方向へ、又は、図２（ｂ）のカム溝５に図示した矢印方向へトレースする。この場合、ピン部材６は、Ｕ形中間部６ａを支点として揺動されながらトレースするため、従来の様なばね部材６が捩り力を発現されることなく、弾性挟持片２３ａ，２３ｂによる挟持力と、両側部６ｂの圧接力に抗して行われる。この結果、この構造では、ピン部材６が従来の様に部分的に強制変形し難く、しかも、カム溝５に対する先端６ｃのトレース作動を安定かつ良好に行えるようし、更に作動切換時に生じ易い作動音をより確実に防ぐことができる。
【００２１】
なお、本発明は、以上の形態例に何ら制約されるものではなく、例えば、ラッチ部材３としては摺動体３０及びラッチ爪３７を一体化した構成でも差し支えない。その場合は、ラッチ爪が図８の例のごとく単一の弾性係止部や、図９のごとく対の弾性係止部として摺動体に一体化されることになる。
【００２２】
【発明の効果】
以上説明した通り、本発明に係るラッチ装置にあっては、図９の構造に対し、ピン部材が強制変形して作動不良を起こすという虞を解消したり、作動音を従来よりも数段小さくして、品質向上及び一層の高級化を達成できる。また、構成部材は部材間の寸法精度を維持し易くなる、等の優れた効果を具備できる。
【図面の簡単な説明】
【図１】発明形態例のラッチ装置を解除位置で示す要部作動図である。
【図２】上記ラッチ装置を係止位置で示す要部作動図である。
【図３】上記ラッチ装置の各部を示す図である。
【図４】上記ラッチ装置を分解した概略構成図である。
【図５】上記ラッチ装置のケースを示す図である。
【図６】上記ラッチ装置におけるラッチ部材の摺動体を示す図である。
【図７】上記ラッチ装置におけるラッチ部材のラッチ爪を示す図である。
【図８】従来のラッチ装置例を示す図である。
【図９】従来の他のラッチ装置例を示す図である。
【符号の説明】
１…ラッチ装置（プッシュ・プッシュ係止機構）
２…ケース（２０，２１は前後壁、２２は両側壁、２３は底壁）
３…ラッチ部材
４…ばね部材
５…カム溝
６…ピン部材（６ａは中間部、６ｂは両側部、６ｃは先端）
２３ａ，２３ｂ…弾性挟持片
２９…規制用縦リブ
３０…摺動体（３３は開口、３３ａは軸穴）
３７…ラッチ爪（３７ａは軸部、３９は爪部）
６０…箱状基体
６１…可動体（６２はストライカー）
【図１】
2004137725.tif 000003
【図２】
2004137725.tif 000004
【図３】
2004137725.tif 000005
【図４】
2004137725.tif 000006
【図５】
2004137725.tif 000007
【図６】
2004137725.tif 000008
【図７】
2004137725.tif 000009
【図８】
2004137725.tif 000010
【図９】
2004137725.tif 000011